(57)【特許請求の範囲】
【請求項１】
現像剤を担持する現像剤担持体に電圧を印加する電源装置であって、
直流電圧のレベル及び交流電圧のレベルを記憶するＲＡＭと、
前記直流電圧のレベルを示す制御信号及び前記交流電圧のレベルを示す制御信号を出力する現像制御部と、
０より大きい前記直流電圧のレベルを示す制御信号が出力された場合に、当該制御信号が示す前記直流電圧のレベルに次第に安定する直流電圧を前記現像剤担持体に印加する直流電源部と、
前記交流電圧のレベルを示す制御信号が出力された場合に、当該制御信号が示す前記交流電圧のレベルに次第に安定する交流電圧を前記現像剤担持体に印加する交流電源部と、
前記現像剤担持体に入力される電流を検出する電流検出部と、
前記電流検出部により検出された電流の変化量を検出する変化量検出部と、
前記変化量検出部により検出される変化量と対応付けて、当該変化量に応じて前記直流電圧及び前記交流電圧のうちの少なくとも一方の電圧のレベルを増減させる量を示す補正データを記憶する変化量記憶部と、
前記変化量検出部により検出された変化量と対応付けて前記変化量記憶部に記憶されている前記補正データを取得し、前記ＲＡＭに記憶されている前記少なくとも一方の電圧のレベルを当該取得した前記補正データが示す量増減させる処理を実行する電圧補正部と、
前記直流電圧の初期のレベル及び前記交流電圧の初期のレベルを前記ＲＡＭに記憶する初期設定部と、
を備え、
前記補正データは、正の値を示す変化量が大きい程、電圧のレベルを減少させることを示し、負の値を示す変化量が小さい程、電圧のレベルを増大させることを示し、
第一時点で、前記初期設定部は、前記直流電圧及び前記交流電圧のうち何れか一の第一電圧の初期のレベルを前記ＲＡＭに記憶し、前記現像制御部は、前記ＲＡＭに記憶されている前記第一電圧のレベルを示す制御信号の出力を開始した後、前記電圧補正部に前記処理を実行させ、
前記第一時点から所定時間経過後の第二時点で、前記初期設定部は、前記直流電圧及び前記交流電圧のうち前記第一電圧とは他の第二電圧の初期のレベルを前記ＲＡＭに記憶し、前記現像制御部は、前記ＲＡＭに記憶されている前記第二電圧のレベルを示す制御信号の出力を開始する電源装置。
【請求項２】
前記所定時間は、前記第二電圧を印加させずに予め測定された、前記第一時点から前記第一電圧が安定する時点までの経過時間に定められている請求項１に記載の電源装置。
【請求項３】
前記所定時間は、前記第二電圧を印加させずに予め測定された、前記第一時点から前記電流検出部により検出された前記電流が安定する時点までの経過時間に定められている請求項１に記載の電源装置。
【請求項４】
前記第一電圧は前記交流電圧であり、前記第二電圧は前記直流電圧である請求項１から３の何れか一項に記載の電源装置。
【請求項５】
請求項１から４の何れか一項に記載の電源装置と、
前記現像剤担持体に対向する位置に配置された、潜像を担持する像担持体と、前記現像剤担持体とを備え、前記電源装置による前記現像剤担持体への前記第一電圧と前記第二電圧との印加により、前記現像剤が前記潜像に供給されたことによって、前記像担持体上に現像された画像を用紙に転写する画像形成部と、
を備える画像形成装置。
【発明の詳細な説明】
【技術分野】
【０００１】
本発明は、電源装置及び画像形成装置に関し、特に、現像剤担持体に電圧を印加する技術に関する。
【背景技術】
【０００２】
従来から、直流電圧及び交流電圧を重畳した現像バイアス電圧を現像ローラー（現像剤担持体）に印加することによって、感光体（像担持体）と現像ローラーとの間に生じる電界の強度を一定に維持して潜像を現像し、画質の劣化を抑制する技術が知られている。この直流電圧及び交流電圧は、例えば現像剤の磁性の強度、感光体表面を形成する感光材料（例えば、アモルファスシリコン）等に応じて最適に定められている。
【０００３】
最適化した現像バイアス電圧を印加しても、感光体と現像ローラーとの間の距離が現像中の感光体の偏心等の何らかの要因で変動した場合には、これに伴って、感光体と現像ローラーとの間に生じる電界の強度が変動する。その結果、感光体に供給されるはずの現像剤の量に過不足が生じる虞があった。
【０００４】
このため、従来から、例えば下記特許文献１等に記載のように、感光体と現像ローラーとの間の距離を示すものとして、感光体と現像ローラーとの間の静電容量を現像ローラーに入力される電流に基づき検出し、当該検出した電流の増大量が大きい程、現像バイアス電圧を減少させ、当該検出した電流の減少量が大きい程、現像バイアス電圧を増大させる補正が行われている。
【先行技術文献】
【特許文献】
【０００５】
【特許文献１】特開２０１３−２５０３０２号公報
【発明の概要】
【発明が解決しようとする課題】
【０００６】
しかし、現像バイアス電圧として印加される直流電圧及び交流電圧は、商用電源等の交流電源から供給される交流電圧を変圧したり、当該交流電圧を直流電圧に変換する等の過程を経て生成されるため、印加の開始時点から暫く時間が経過した後、次第に所定レベルに安定する。
【０００７】
したがって、上記特許文献１に記載の技術のように、現像ローラーに入力される電流の変化量に基づいて現像バイアス電圧を補正する構成の場合に、現像バイアス電圧として印加される直流電圧と交流電圧の印加を同時に開始すると、当該印加の開始当初から現像バイアス電圧が所定レベルに安定するまでの過渡期に、電流の増大量が大きいことに起因して、現像バイアス電圧を大きく減少させる補正が行われる虞があった。
【０００８】
この場合、上記過渡期に現像バイアス電圧が一旦大きく減少されるので、現像バイアス電圧が安定するまでに要する時間が、直流電圧と交流電圧とを個別に一つずつ印加した場合における直流電圧が安定するまでに要する時間と交流電圧が安定するまでに要する時間との合計時間よりも長くなる虞があった。その結果、現像動作を開始するまでに要する時間が長くなる虞があった。
【０００９】
本発明は、このような事情に鑑みてなされたものであり、現像剤担持体に印加される電圧を早期に安定させることができる電源装置及び画像形成装置を提供することを目的とする。
【課題を解決するための手段】
【００１０】
本発明による電源装置は、現像剤を担持する現像剤担持体に電圧を印加する電源装置であって、直流電圧のレベル及び交流電圧のレベルを記憶するＲＡＭと、前記直流電圧のレベルを示す制御信号及び前記交流電圧のレベルを示す制御信号を出力する現像制御部と、０より大きい前記直流電圧のレベルを示す制御信号が出力された場合に、当該制御信号が示す前記直流電圧のレベルに次第に安定する直流電圧を前記現像剤担持体に印加する直流電源部と、前記交流電圧のレベルを示す制御信号が出力された場合に、当該制御信号が示す前記交流電圧のレベルに次第に安定する交流電圧を前記現像剤担持体に印加する交流電源部と、前記現像剤担持体に入力される電流を検出する電流検出部と、前記電流検出部により検出された電流の変化量を検出する変化量検出部と、前記変化量検出部により検出される変化量と対応付けて、当該変化量に応じて前記直流電圧及び前記交流電圧のうちの少なくとも一方の電圧のレベルを増減させる量を示す補正データを記憶する変化量記憶部と、前記変化量検出部により検出された変化量と対応付けて前記変化量記憶部に記憶されている前記補正データを取得し、前記ＲＡＭに記憶されている前記少なくとも一方の電圧のレベルを当該取得した前記補正データが示す量増減させる処理を実行する電圧補正部と、前記直流電圧の初期のレベル及び前記交流電圧の初期のレベルを前記ＲＡＭに記憶する初期設定部と、を備え、前記補正データは、正の値を示す変化量が大きい程、電圧のレベルを減少させることを示し、負の値を示す変化量が小さい程、電圧のレベルを増大させることを示し、第一時点で、前記初期設定部は、前記直流電圧及び前記交流電圧のうち何れか一の第一電圧の初期のレベルを前記ＲＡＭに記憶し、前記現像制御部は、前記ＲＡＭに記憶されている前記第一電圧のレベルを示す制御信号の出力を開始した後、前記電圧補正部に前記処理を実行させ、前記第一時点から所定時間経過後の第二時点で、前記初期設定部は、前記直流電圧及び前記交流電圧のうち前記第一電圧とは他の第二電圧の初期のレベルを前記ＲＡＭに記憶し、前記現像制御部は、前記ＲＡＭに記憶されている前記第二電圧のレベルを示す制御信号の出力を開始する。
【００１１】
また、本発明による画像形成装置は、前記電源装置と、前記現像剤担持体に対向する位置に配置された、潜像を担持する像担持体と、前記現像剤担持体とを備え、前記電源装置による前記現像剤担持体への前記第一電圧と前記第二電圧との印加により、前記現像剤が前記潜像に供給されたことによって、前記像担持体上に現像された画像を用紙に転写する画像形成部と、を備える。
【００１２】
これらの構成によれば、第一電圧の印加を開始させた第一時点から所定時間経過後の第二時点で第二電圧の印加を開始させる。このため、第一電圧の印加の開始当初から第二時点までの期間、現像剤担持体へ入力される電流の電流値が増大したとしても、当該期間中は、第二電圧のレベルを減少させる補正を行わないようにすることができる。
【００１３】
これにより、上記期間中に第二電圧のレベルが一旦減少されることがなくなるので、直流電圧と交流電圧とが共に所定レベルに安定するまでに要する時間が、直流電圧と交流電圧とを個別に一つずつ印加した場合に、直流電圧が所定レベルに安定するまでに要する時間と交流電圧が所定レベルに安定するまでに要する時間との合計時間よりも長くなる虞を低減することができる。その結果、現像剤担持体に印加される直流電圧と交流電圧とを重畳した電圧を早期に安定させることができる。
【００１４】
また、前記所定時間は、前記第二電圧を印加させずに予め測定された、前記第一時点から前記第一電圧が安定する時点までの経過時間に定められていることが好ましい。
【００１５】
本構成によれば、第一電圧の印加が開始された第一時点から当該所定時間が経過するまでの期間、つまり、第一電圧の印加が開始されてから、当該第一電圧が安定するまでに要すると考えられる時点までの期間中は、現像剤担持体へ入力される電流が増大しても、第二電圧のレベルを減少させる補正を行わないようにすることができる。これにより、第二電圧のレベルを減少させる補正が行われる期間を減少することができる。
【００１６】
その結果、直流電圧と交流電圧とが共に所定レベルに安定するまでに要する時間が、直流電圧と交流電圧とを個別に一つずつ印加した場合に、直流電圧が所定レベルに安定するまでに要する時間と交流電圧が所定レベルに安定するまでに要する時間との合計時間よりも長くなる虞を低減することができる。
【００１７】
または、前記所定時間は、前記第二電圧を印加させずに予め測定された、前記第一時点から前記電流検出部により検出された前記電流が安定する時点までの経過時間に定められていてもよい。
【００１８】
本構成によれば、第一電圧の印加が開始された第一時点から当該所定時間が経過するまでの期間、つまり、第一電圧の印加が開始されてから、電流検出部により検出された電流が安定すると考えられる時点までの期間中は、現像剤担持体へ入力される電流が増大しても、第二電圧のレベルを減少させる補正を行わないようにすることができる。これにより、第二電圧のレベルを減少させる補正が行われる期間を無くすことができる。
【００１９】
その結果、直流電圧と交流電圧とが共に初期レベルに安定するまでに要する時間が、直流電圧と交流電圧とを個別に一つずつ印加した場合に、直流電圧が所定レベルに安定するまでに要する時間と交流電圧が所定レベルに安定するまでに要する時間との合計時間よりも長くなる虞をより低減することができる。
【００２０】
また、前記第一電圧は前記交流電圧であり、前記第二電圧は前記直流電圧であることが好ましい。
【００２１】
本構成とは異なり、第一電圧を直流電圧とし、第二電圧を交流電圧として、交流電圧よりも先に直流電圧の印加を開始した場合、現像剤担持体へ電圧の印加が開始された当初に、現像剤担持体に担持されている現像剤が飛散する虞がある。
【００２２】
しかし、本構成によれば、直流電圧よりも先に交流電圧の印加が開始されるので、現像剤担持体へ電圧の印加が開始された当初に、現像剤担持体に担持されている現像剤を現像剤担持体から行き来させることができる。これにより、現像剤担持体へ電圧の印加が開始された当初に現像剤担持体に担持されている現像剤が飛散する虞を低減することができる。
【発明の効果】
【００２３】
この発明によれば、現像剤担持体に印加される電圧を早期に安定させることができる電源装置及び画像形成装置を提供することができる。
【図面の簡単な説明】
【００２４】
【図１】本発明の画像形成装置の一実施形態に係るプリンターの全体構成を示した概略断面図である。
【図２】現像装置の概略構成を示す断面図である。
【図３】本発明の電源装置の一実施形態に係る電源装置の電気的構成の一例を示すブロック図である。
【図４】現像バイアス電圧の波形の一例を示す図である。
【図５】変化量記憶部に記憶されている補正データの一例を示す図である。
【図６】現像バイアス電圧を印加する動作を示すフローチャートである。
【図７】（Ａ）は、直流電圧と交流電圧の印加を同時に開始したときの直流電圧及び現像バイアス電圧の波形の一例を示す図であり、（Ｂ）は、交流電圧の印加開始から所定時間経過後に直流電圧の印加を開始したときの直流電圧及び現像バイアス電圧の波形の一例を示す図である。
【発明を実施するための形態】
【００２５】
以下、本発明に係る画像形成装置の一実施形態を図面に基づいて説明する。尚、本実施形態では、画像形成装置としてプリンターを例に説明するが、これに限定する趣旨ではなく、画像形成装置は、例えば、複写機、ファクシミリ装置又は複合機であってもよい。図１は、本発明の画像形成装置の一実施形態に係るプリンター１の全体構成を示した概略断面図である。
【００２６】
図１に示すように、プリンター１は、機器本体１ａ内に、用紙Ｐを給紙する給紙部２、画像形成部３、及び定着部４を備えている。画像形成部３は、給紙部２から給紙された用紙Ｐを搬送しながら、外部のコンピューター等から受信した画像データに基づくトナー像を当該用紙Ｐに転写する。定着部４は、画像形成部３で用紙Ｐ上に転写されたトナー像を用紙Ｐに定着する定着処理を施す。また、機器本体１ａの上面には、定着部４で定着処理の施された用紙Ｐが排紙される排紙部５が設けられている。
【００２７】
給紙部２は、給紙カセット２１、ピックアップローラー２２、２７、給紙ローラー２３、２４、２５、及びレジストローラー２６を備えている。給紙カセット２１は、用紙Ｐを貯留する。ピックアップローラー２２は、給紙カセット２１に貯留されている用紙Ｐを１枚ずつ取り出す。ピックアップローラー２７は、機器本体１ａの図１に示す左側面に取り付けられた不図示の手差しトレイに載置された用紙Ｐを取り出す。給紙ローラー２３、２４、２５は、ピックアップローラー２２、２７によって取り出された用紙Ｐを用紙搬送路に送り出す。レジストローラー２６は、給紙ローラー２３、２４、２５によって用紙搬送路に送り出された用紙Ｐを一時待機させた後、所定のタイミングで画像形成部３に供給する。
【００２８】
画像形成部３は、画像形成ユニット７と、中間転写ベルト３１と、二次転写ローラー３２とを備えている。画像形成ユニット７は、中間転写ベルト３１の表面（接触面）に、外部のコンピューター等から受信した画像データに基づくトナー像を一次転写する。二次転写ローラー３２は、中間転写ベルト３１上のトナー像を給紙カセット２１から送り込まれた用紙Ｐに二次転写する。
【００２９】
画像形成ユニット７は、ブラック用ユニット７Ｋと、シアン用ユニット７Ｃと、マゼンタ用ユニット７Ｍと、イエロー用ユニット７Ｙと、を備えている。各ユニット７Ｋ、７Ｃ、７Ｍ及び７Ｙは、それぞれ感光体ドラム３７（像担持体）を備えている。各感光体ドラム３７は、図１に示す矢印方向（時計回り）に回転する。各感光体ドラム３７の周囲には、帯電器３９、露光装置３８、現像装置７１等が配置されている。
【００３０】
帯電器３９は、感光体ドラム３７の周面を帯電する。露光装置３８は、帯電された感光体ドラム３７の周面に画像データに基づくレーザー光を照射する。これによって、露光装置３８は、感光体ドラム３７上に画像データに基づく潜像を形成する。
【００３１】
現像装置７１は、潜像が形成された感光体ドラム３７の周面にトナーを供給することによって、感光体ドラム３７の周面にトナー像を形成する。感光体ドラム３７の周面に形成されたトナー像は、後述するように、中間転写ベルト３１に一次転写される。
【００３２】
中間転写ベルト３１は、無端状のベルト状回転体である。中間転写ベルト３１は、表面（接触面）側が各感光体ドラム３７の周面にそれぞれ当接するように、駆動ローラー３３、従動ローラー３４、バックアップローラー３５、及び一次転写ローラー３６等の複数のローラーによって張架されている。また、中間転写ベルト３１は、各感光体ドラム３７と対向配置された一次転写ローラー３６によって感光体ドラム３７に押圧された状態で、複数のローラーによって無端回転する。
【００３３】
駆動ローラー３３は、ステッピングモーター等の駆動源によって与えられた駆動力で中間転写ベルト３１を無端回転させる。従動ローラー３４、バックアップローラー３５、及び一次転写ローラー３６は、駆動ローラー３３による中間転写ベルト３１の無端回転に伴って従動回転する。
【００３４】
一次転写ローラー３６は、一次転写バイアス（トナーの帯電極性とは逆極性）を中間転写ベルト３１に印加する。これにより、各感光体ドラム３７上に形成されたトナー像は、各感光体ドラム３７と一次転写ローラー３６との間で、駆動ローラー３３の駆動によって図１に示す矢印（反時計回り）方向に周回する中間転写ベルト３１に順次重ね塗られて、転写（一次転写）される。
【００３５】
二次転写ローラー３２は、トナー像と逆極性の二次転写バイアスを用紙Ｐに印加する。これにより、中間転写ベルト３１上に一次転写されたトナー像は、二次転写ローラー３２とバックアップローラー３５との間で用紙Ｐに転写され、用紙Ｐにカラーの転写画像が転写される。
【００３６】
定着部４は、画像形成部３で用紙Ｐに転写された転写画像に定着処理を施す。定着部４は、加熱ローラー４１と、周面が加熱ローラー４１の周面に押圧当接される加圧ローラー４２とを備えている。用紙Ｐに転写された転写画像は、当該用紙Ｐが加熱ローラー４１と加圧ローラー４２との間を通過する際の加熱による定着処理で用紙Ｐに定着される。定着処理の施された用紙Ｐは、搬送ローラー６によって排紙部５へ排紙される。搬送ローラー６は、定着部４と排紙部５との間の適所に配設されている。
【００３７】
また、機器本体１ａ内には、制御部１０が設けられている。制御部１０は、例えば、ＣＰＵ（Ｃｅｎｔｒａｌ  Ｐｒｏｃｅｓｓｉｎｇ  Ｕｎｉｔ）、制御プログラムを記憶するＲＯＭ（Ｒｅａｄ  Ｏｎｌｙ  Ｍｅｍｏｒｙ）、各種処理の実行時に一時的にデータを記憶するＲＡＭ（Ｒａｎｄｏｍ  Ａｃｃｅｓｓ  Ｍｅｍｏｒｙ）、入出力インタフェース回路及びこれらを接続するバスを備えたマイクロコンピューターによって構成されている。制御部１０は、ＲＯＭ等に記憶された制御プログラムをＣＰＵによって実行することによって、装置内の各部の動作を制御する。
【００３８】
次に、現像装置７１の構成について説明する。図２は、現像装置７１の概略構成を示す断面図である。尚、画像形成ユニット７Ｋ，７Ｃ，７Ｍ及び７Ｙのそれぞれに備えられた現像装置７１は、全て同様の構成である。
【００３９】
現像装置７１は、現像ローラー７２（現像剤担持体）、磁気ローラー７３、パドルミキサー７４、攪拌ミキサー７５、穂切りブレード７６、仕切板７７、直流電源部９３、及び交流電源部９４を備えている。感光体ドラム３７は、ドラムモーターＭ１によって駆動し、現像ローラー７２は、現像モーターＭ２によって駆動する。つまり、感光体ドラム３７と現像ローラー７２は、それぞれ独立して駆動する。
【００４０】
現像ローラー７２は、感光体ドラム３７に対向する位置に配置されている。現像ローラー７２は、周面にトナー（現像剤）を担持して搬送することにより、感光体ドラム３７の周面にトナーを供給する。これによって、感光体ドラム３７の周面に予め形成された潜像がトナー像として顕像化（現像）される。また、現像ローラー７２には、磁気ローラー７３と対向する位置に磁極が形成されるように磁石が内蔵されている。磁気ローラー７３は、内部に配置された磁石によって磁気ブラシを形成し、現像ローラー７２にトナーを供給する。
【００４１】
パドルミキサー７４及び攪拌ミキサー７５は、らせん状羽根を有しており、互いに逆方向にトナーを搬送しながら攪拌することによって、トナーを帯電させる。更に、パドルミキサー７４は、帯電させたトナーを磁気ローラー７３に供給する。穂切りブレード７６は、磁気ローラー７３上に形成された磁気ブラシの厚さを規制する。仕切板７７は、パドルミキサー７４と攪拌ミキサー７５との間に設けられ、仕切板７７の両端側より外側でトナーが自由に通過できるようになっている。
【００４２】
パドルミキサー７４及び攪拌ミキサー７５で帯電されたトナーは、磁気ローラー７３に供給される。磁気ローラー７３に供給されたトナーは、磁気ローラー７３の内部の磁石によって磁気ブラシとなって搬送される。その後、磁気ブラシは、磁気ローラー７３の表面のスリーブの回転によって、移動し、穂切りブレード７６と磁気ローラー７３との間を通過する際に、厚さが規制される。
【００４３】
直流電源部９３は、現像ローラー７２に直流電圧を印加する。交流電源部９４は、現像ローラー７２に交流電圧を印加する。直流電源部９３から出力される直流電圧と交流電源部９４から出力される交流電圧とが重畳された電圧である現像バイアス電圧が現像ローラー７２に印加されることによって、感光体ドラム３７と現像ローラー７２との間には、電位差が発生する。この電位差によって、現像ローラー７２の周面に担持されたトナーが、感光体ドラム３７へ供給され、感光体ドラム３７上に形成されている潜像の現像が行われる。
【００４４】
以下では、本発明の電源装置の一実施形態に係る電源装置９の詳細について説明する。図３は、本発明の電源装置の一実施形態に係る電源装置９の電気的構成の一例を示すブロック図である。
【００４５】
図３に示すように、電源装置９は、直流電源部９３、交流電源部９４、電流検出部９５及び制御部１０を備えている。
【００４６】
直流電源部９３には、後述の現像制御部１２によって出力された制御信号が入力される。直流電源部９３は、商用電源等の交流電源から供給される交流電圧を所定レベルの交流電圧に変圧後、当該交流電圧を整流回路で整流する。これにより、直流電源部９３は、入力された制御信号が示すレベル（所定レベル）の直流電圧を出力する。このようにして、直流電源部９３は、制御信号が入力された後、交流電源から供給される交流電圧を変圧する等の過程を経て、当該制御信号が示すレベルに次第に安定する直流電圧を出力する。尚、直流電源部９３による直流電圧の出力方法をこれに限定する趣旨ではない。
【００４７】
交流電源部９４には、後述の現像制御部１２によって出力された制御信号が入力される。交流電源部９４は、商用電源等の交流電源から供給される交流電圧を所定レベルの直流電圧に変換後、更に、当該直流電圧を、入力された制御信号が示すピーク電圧やデューティー比等の所定レベルの交流電圧に変換する。このようにして、交流電源部９４は、制御信号が入力された後、交流電源から供給される交流電圧を直流電圧に変換する等の過程を経て、当該制御信号が示すレベル（所定レベル）に次第に安定する交流電圧を生成する。尚、交流電源部９４による交流電圧の生成方法をこれに限定する趣旨ではない。交流電源部９４は、生成した交流電圧と直流電源部９３から出力された直流電圧とを重畳した電圧を、現像バイアス電圧として現像ローラー７２に印加する。
【００４８】
電流検出部９５は、現像ローラー７２に入力される電流の電流値（電流）を検出する。例えば、図３に示すように、電流検出部９５は、交流電源部９４に接続され、交流電源部９４の出力端へ流れる電流の電流値を検出する。尚、これに代えて、図３の一点鎖線部に示すように、交流電源部９４と現像ローラー７２とを接続する配線部に電流検出部９５を接続してもよい。
【００４９】
図３における破線矩形部に示す、直流電源部９３、交流電源部９４、電流検出部９５、及び、現像ローラー７２は、ブラック用ユニット７Ｋ、シアン用ユニット７Ｃ、マゼンタ用ユニット７Ｍ、及びイエロー用ユニット７Ｙのそれぞれに備えられており、全て同様の構成になっている。
【００５０】
制御部１０は、現像バイアス電圧の制御に関連して、特に、初期電圧設定部１１、現像制御部１２、電圧補正部１４、変化量検出部１３及び変化量記憶部１５として機能する。
【００５１】
初期電圧設定部１１は、直流電源部９３に出力させる直流電圧の初期レベルを設定する。また、初期電圧設定部１１は、交流電源部９４に出力させる交流電圧の初期レベルを設定する。具体的には、試験運転等の実験値に基づいて、各色のトナーを各色の現像ローラー７２から感光体ドラム３７に移動させるために必要な、現像ローラー７２に印加すべき直流電圧の初期レベルと交流電圧の初期レベルとが予め定められ、ＲＯＭ等に記憶されている。
【００５２】
図４は、現像バイアス電圧の波形の一例を示す図である。例えば図４に示すように、初期電圧設定部１１は、ＲＯＭ等から、直流電圧の初期レベルとして「２００Ｖ」を取得し、交流電圧の初期レベルとして、ピーク電圧「１．５ｋＶ」とデューティー比「３０％」とを取得する。尚、交流電圧のレベルは、ピーク電圧やデューティー比に限らず、振幅や、実効値、周波数等によって定めてもよい。
【００５３】
初期電圧設定部１１は、ＲＯＭ等から取得した直流電圧の初期レベルをＲＡＭに記憶することにより、直流電圧の初期レベルを設定する。同様に、初期電圧設定部１１は、ＲＯＭ等から取得した交流電圧の初期レベルをＲＡＭに記憶することにより、交流電圧の初期レベルを設定する。
【００５４】
現像制御部１２は、初期電圧設定部１１及び後述の電圧補正部１４によってＲＡＭに記憶されたレベルの直流電圧を、直流電源部９３によって現像ローラー７２に印加させる。具体的には、現像制御部１２は、ＲＡＭに記憶されている直流電圧のレベルを取得し、当該取得した直流電圧のレベルを示す制御信号を直流電源部９３へ出力する。これにより、直流電源部９３は、当該制御信号が示すレベルに次第に安定する直流電圧を現像ローラー７２に印加する。
【００５５】
また、現像制御部１２は、初期電圧設定部１１及び後述の電圧補正部１４によってＲＡＭに記憶されたレベルの交流電圧を、交流電源部９４によって現像ローラー７２に印加させる。具体的には、現像制御部１２は、ＲＡＭに記憶されている交流電圧のレベルを取得し、当該取得した交流電圧のレベルを示す制御信号を交流電源部９４へ出力する。これにより、交流電源部９４は、当該制御信号が示すレベルに次第に安定する交流電圧を現像ローラー７２に印加する。現像制御部１２の動作の詳細については後述する。
【００５６】
変化量検出部１３は、電流検出部９５により検出された電流値の変化量を検出する。具体的には、変化量検出部１３は、電流検出部９５により検出された電流値から、前回検出された電流値を減算し、当該減算結果を電流値の変化量として検出する。そして、変化量検出部１３は、当該検出した電流値の変化量を示す検出データとして出力する。
【００５７】
つまり、電流検出部９５により検出された電流値が前回検出された電流値よりも増大していた場合、変化量検出部１３は、正（＋）の値を示す検出データを出力する。一方、電流検出部９５により検出された電流値が前回検出された電流値よりも減少していた場合、変化量検出部１３は、負（−）の値を示す検出データを出力する。
【００５８】
例えば、前回検出された電流値が「１００μＡ」であり、今回検出された電流値が「１１０μＡ」であったとする。この場合、変化量検出部１３は、変化量「＋１０μＡ」を示す検出データを出力する。一方、前回検出された電流値が「１１０μＡ」であり、今回検出された電流値が「１００μＡ」であったとする。この場合、変化量検出部１３は、変化量「−１０μＡ」を示す検出データを出力する。
【００５９】
電圧補正部１４は、後述の変化量記憶部１５に記憶されている補正データを用いて、変化量検出部１３により検出された変化量に応じて、ＲＡＭに記憶されている直流電圧（直流電圧及び交流電圧のうち少なくともいずれか一方の電圧）のレベルを増減させる。
【００６０】
変化量記憶部１５は、ＲＯＭの記憶領域の一部によって構成されている。変化量記憶部１５には、変化量検出部１３により検出される変化量と対応付けて、当該変化量に応じて電圧補正部１４に直流電圧のレベルを増減させる量を示す補正データが記憶されている。
【００６１】
以下、電圧補正部１４及び変化量記憶部１５について詳述する。図５は、変化量記憶部１５に記憶されている補正データの一例を示す図である。
【００６２】
例えば、図５に示すように、変化量記憶部１５には、電流が「１０μＡ」増大したことを示す変化量「＋１０μＡ」と対応付けて、直流電圧のレベルを「２０Ｖ」減少させることを示す補正データ「ＤＣ−２０Ｖ」が記憶されている。また、変化量記憶部１５には、電流が「２０μＡ」増大したことを示す変化量「＋２０μＡ」と対応付けて、直流電圧のレベルを「２５Ｖ」減少させることを示す補正データ「ＤＣ−２５Ｖ」が記憶されている。
【００６３】
このように、変化量記憶部１５には、正の値を示す変化量が大きい程、つまり、電流検出部９５により検出された電流値が増大する程、直流電圧のレベルを減少させることを示す補正データが記憶されている。
【００６４】
また、変化量記憶部１５には、電流が「１０μＡ」減少したことを示す変化量「−１０μＡ」と対応付けて、直流電圧のレベルを「２０Ｖ」増大させることを示す補正データ「ＤＣ＋２０Ｖ」が記憶されている。また、変化量記憶部１５には、電流が「２０μＡ」減少したことを示す変化量「−２０μＡ」と対応付けて、直流電圧のレベルを「２５Ｖ」増大させることを示す補正データ「ＤＣ＋２５Ｖ」が記憶されている。
【００６５】
このように、変化量記憶部１５には、負の値を示す変化量が小さい程、つまり、電流検出部９５により検出された電流値が減少する程、直流電圧のレベルを増大させることを示す補正データが記憶されている。
【００６６】
電圧補正部１４は、変化量検出部１３が出力した検出データが示す変化量と対応付けて変化量記憶部１５に記憶されている補正データを取得し、ＲＡＭに記憶されている直流電圧のレベルを、当該取得した補正データが示す量増減させる。これにより、電圧補正部１４は、変化量検出部１３が出力した検出データが示す変化量に応じて直流電圧のレベルを増減させる。
【００６７】
例えば、図５に示すように、変化量記憶部１５に補正データが記憶されているとする。また、変化量検出部１３が出力した検出データが変化量「＋１０μＡ」を示していたとする。この場合、電圧補正部１４は、当該変化量「＋１０μＡ」と対応付けて変化量記憶部１５に記憶されている補正データ「ＤＣ−２０Ｖ」を取得する。そして、電圧補正部１４は、ＲＡＭに記憶されている直流電圧のレベルを、当該取得した補正データが示す「２０Ｖ」減少させる。変化量検出部１３が出力した検出データが変化量「＋２０μＡ」を示していた場合は、電圧補正部１４は、当該変化量「＋２０μＡ」と対応付けて変化量記憶部１５に記憶されている補正データ「ＤＣ−２５Ｖ」を取得し、ＲＡＭに記憶されている直流電圧のレベルを「２５Ｖ」減少させる。
【００６８】
このように、電圧補正部１４は、変化量記憶部１５に記憶されている補正データが示すように、電流検出部９５により検出された電流値が増大する程、現像ローラー７２に印加する直流電圧のレベルを減少させる。
【００６９】
一方、検出データが変化量「−１０μＡ」を示していたとする。この場合、電圧補正部１４は、当該変化量「−１０μＡ」と対応付けて変化量記憶部１５に記憶されている補正データ「ＤＣ＋２０Ｖ」を取得し、ＲＡＭに記憶されている直流電圧のレベルを当該取得した補正データが示す「２０Ｖ」増大させる。検出データが変化量「−２０μＡ」を示していた場合は、電圧補正部１４は、当該変化量「−２０μＡ」と対応付けて変化量記憶部１５に記憶されている補正データ「ＤＣ＋２５Ｖ」を取得し、ＲＡＭに記憶されている直流電圧のレベルを「２５Ｖ」増大させる。
【００７０】
このように、電圧補正部１４は、変化量記憶部１５に記憶されている補正データが示すように、電流検出部９５により検出された電流値が減少する程、現像ローラー７２に印加する直流電圧のレベルを増大させる。
【００７１】
つまり、現像ローラー７２に入力される電流が増大する程、現像ローラー７２の負荷は減少していると考えられる。このため、電圧補正部１４は、当該電流の増大量が大きい程、現像ローラー７２に印加する直流電圧を減少させる。反対に、現像ローラー７２に入力される電流が減少する程、現像ローラー７２の負荷は増大していると考えられる。このため、電圧補正部１４は、当該電流の減少量が大きい程、現像ローラー７２に印加する電圧を増加させる。
【００７２】
尚、現像ローラー７２の負荷の変動は、例えば、現像ローラー７２と感光体ドラム３７との間の距離の変動によって生じる。当該距離の変動は、例えば、現像ローラー７２上のトナーの層厚が変化することや、現像ローラー７２や感光体ドラム３７に偏心が生じていること等が原因で発生する。上記距離が狭くなると、現像ローラー７２と感光体ドラム３７との間の静電容量が大きくなるので、現像ローラー７２の負荷が増大する。一方、上記距離が広くなると、現像ローラー７２と感光体ドラム３７との間の静電容量が小さくなるので、現像ローラー７２の負荷が減少する。
【００７３】
以下では、現像バイアス電圧を印加する動作について説明する。図６は、現像バイアス電圧を印加する動作を示すフローチャートである。以下では、変化量記憶部１５には、図５に示す補正データと同様、変化量と対応付けて、交流電圧のレベルは増減せずに、直流電圧のレベルのみを増減させる量を示す補正データが記憶されているものとして説明する。つまり、電圧補正部１４が、変化量検出部１３により検出された電流の変化量に応じて、ＲＡＭに記憶されている直流電圧のレベルのみを増減させるものとして説明する。
【００７４】
制御部１０が、外部のコンピューター等から画像データを含む印刷ジョブを受信したこと等により、画像形成ユニット７による画像の形成動作を開始し、当該画像の形成動作の過程で現像動作を開始したとする。この場合、図６に示すように、初期電圧設定部１１は、ＲＯＭ等に記憶されている、現像ローラー７２に印加すべき交流電圧の初期レベルを取得し、当該取得した交流電圧の初期レベルをＲＡＭに記憶する。これにより、初期電圧設定部１１は、交流電圧の初期レベルを設定する（Ｓ１）。
【００７５】
そして、現像制御部１２は、ＲＡＭに記憶されている交流電圧（第一電圧）のレベルを示す制御信号を交流電源部９４へ出力することを開始する。これにより、現像制御部１２は、交流電源部９４に、当該制御信号が示すレベルの交流電圧の印加を開始させる（Ｓ２）。これ以降、現像制御部１２は、当該現像動作が終了するまでの間、ＲＡＭに記憶されている交流電圧のレベルを示す制御信号の出力を継続する。
【００７６】
ステップＳ２で交流電圧の印加が開始された時刻ｔ１（第一時点）から、所定時間Ｔが経過していない場合（Ｓ３；ＮＯ）、現像制御部１２は、直流電圧のレベルを示す制御信号を直流電源部９３に出力しない。この場合、直流電圧が現像ローラー７２に印加されていず、且つ、交流電圧のみが現像ローラー７２に印加された状態で後述のステップＳ７が行われる。
【００７７】
所定時間Ｔは、試験運転等の実験において、例えば現像ローラー７２へ直流電圧を印加させずに予め測定した、交流電圧の印加が開始された時点から、交流電圧が安定する時点までの経過時間に定められている。所定時間Ｔは、ＲＯＭ等に予め記憶されている。
【００７８】
一方、時刻ｔ１から所定時間Ｔが経過し（Ｓ３；ＹＥＳ）、且つ、直流電圧の印加が開始されていない場合（Ｓ４；ＮＯ）、初期電圧設定部１１は、ＲＯＭ等に記憶されている、現像ローラー７２に印加すべき直流電圧の初期レベルを取得する。初期電圧設定部１１は、当該取得した直流電圧の初期レベルをＲＡＭに記憶することにより、直流電圧の初期レベルを設定する（Ｓ５）。
【００７９】
そして、現像制御部１２は、ＲＡＭに記憶されている直流電圧（第二電圧）のレベルを示す制御信号を直流電源部９３へ出力することを開始する。これにより、現像制御部１２は、時刻ｔ１から所定時間Ｔ経過後の時点（第二時点）で、直流電源部９３に、当該制御信号が示すレベルの直流電圧の印加を開始させる（Ｓ６）。これ以降、現像制御部１２は、当該現像動作が終了するまでの間、ＲＡＭに記憶されている直流電圧のレベルを示す制御信号の出力を継続する。
【００８０】
ステップＳ２で交流電圧の印加が開始された後は、直流電圧の印加が開始されているか否かによらず、電流検出部９５は、現像ローラー７２に入力される電流の電流値を検出する（Ｓ７）。
【００８１】
変化量検出部１３は、ステップＳ７で検出された電流値とＲＡＭに記憶されている前回検出された電流値（初期値は０）とを用いて電流値の変化量を検出し、当該検出した変化量を示す検出データを出力する（Ｓ８）。尚、変化量検出部１３は、ステップＳ８において検出データを出力すると、ステップＳ７で検出された電流値を、前回検出された電流値としてＲＡＭに記憶する。
【００８２】
次に、電圧補正部１４は、上述のように、ステップＳ８で出力された検出データが示す変化量と対応付けて変化量記憶部１５に記憶されている補正データを取得し、ＲＡＭに記憶されている直流電圧のレベルを当該取得した補正データが示す量増減させる（Ｓ９）。
【００８３】
これにより、ステップＳ６における直流電圧の印加が開始されていた場合は、現像制御部１２によって、ＲＡＭに記憶されている当該増減後の直流電圧のレベルを示す制御信号が直流電源部９３へ出力される。その結果、当該増減後の直流電圧のレベルの直流電圧が現像ローラー７２に印加される。一方、ステップＳ６における直流電圧の印加が開始されていなかった場合は、現像制御部１２によって直流電圧のレベルを示す制御信号が出力されていないので、ＲＡＭに記憶されている直流電圧のレベルのみが増減される。
【００８４】
ステップＳ９の実行後、当該現像動作が終了していない場合は（Ｓ１０；ＮＯ）、ステップＳ３以降の処理が繰り返される。
【００８５】
以下、現像動作時における直流電圧Ｖｄと現像バイアス電圧Ｖｂの波形の一例について説明する。図７（Ａ）は、直流電圧と交流電圧の印加を同時に開始したときの直流電圧Ｖｄ及び現像バイアス電圧Ｖｂの波形の一例を示す図であり、（Ｂ）は、交流電圧の印加開始から所定時間Ｔ経過後に直流電圧の印加を開始したときの直流電圧Ｖｄ及び現像バイアス電圧Ｖｂの波形の一例を示す図である。
【００８６】
尚、図７（Ａ）（Ｂ）において、直流電圧Ｖｄのレベルは、上部になる程ローレベルであることを示し、下部になる程ハイレベルであることを示している。一方、現像バイアス電圧Ｖｂのレベルは、上部になる程ハイレベルであることを示し、図中において下部になる程ローレベルであることを示している。
【００８７】
例えば、従来のように、時刻ｔ１１において、交流電圧と直流電圧の印加を同時に開始したとする。この場合、図７（Ａ）に示すように、時刻ｔ１１から交流電圧のレベルが安定する時刻ｔ１２になるまでの過渡期に、現像ローラー７２に入力される電流が大きく増大することに起因して、電圧補正部１４により、ＲＡＭに記憶されている直流電圧Ｖｄのレベルが０以下にまで減少される。その結果、直流電圧Ｖｄが出力されない状態になる。
【００８８】
時刻ｔ１２において交流電圧が安定するようになると、現像ローラー７２に入力される電流が次第に減少することに起因して、電圧補正部１４により、ＲＡＭに記憶されている直流電圧Ｖｄのレベルが初期レベルにまで次第に増大される。その結果、直流電圧Ｖｄが初期レベルにまで次第に上昇する。
【００８９】
そして、時刻ｔ１３において、現像ローラー７２に入力される電流が安定するようになると、電圧補正部１４によって、ＲＡＭに記憶されている直流電圧Ｖｄのレベルが略増減されなくなる。その結果、直流電圧Ｖｄが初期レベルに安定した状態になる。
【００９０】
つまり、交流電圧と直流電圧の印加を同時に開始した場合、当該印加の開始時刻ｔ１１から時間Ｔｄ０が経過した時点（時刻ｔ１３）において、初期レベルの直流電圧と、初期レベルの交流電圧と、を重畳した現像バイアス電圧Ｖｂが現像ローラー７２に印加された状態になる。
【００９１】
これに対し、本実施形態の構成では、図７（Ｂ）に示すように、ステップＳ２（図６）において、時刻ｔ１に交流電圧の初期レベルを示す制御信号Ｒａを交流電源部９４へ出力することを開始する。これにより、時刻ｔ１において、交流電圧の印加のみが開始される。そして、時刻ｔ１から所定時間Ｔが経過し、交流電圧が制御信号Ｒａが示す初期レベルに安定すると考えられる時刻ｔ２になると、ステップＳ６（図６）において、初期レベルの直流電圧を示す制御信号Ｒｄを直流電源部９３へ出力することを開始する。これにより、時刻ｔ２において、直流電圧の印加が開始される。
【００９２】
時刻ｔ２から実際に交流電圧のレベルが安定する時刻ｔ３になるまでの期間は、現像ローラー７２に入力される電流が僅かに増大することに起因して、電圧補正部１４により、ＲＡＭに記憶されている直流電圧Ｖｄのレベルが僅かに減少される。
【００９３】
時刻ｔ３において実際に交流電圧が安定するようになると、現像ローラー７２に入力される電流が次第に減少することに起因して、ステップＳ９（図６）において、電圧補正部１４により、ＲＡＭに記憶されている直流電圧Ｖｄのレベルが初期レベルにまで次第に増大される。その結果、直流電圧Ｖｄが初期レベルにまで次第に上昇する。
【００９４】
そして、時刻ｔ４において、現像ローラー７２に入力される電流が安定するようになると、電圧補正部１４によるＲＡＭに記憶されている直流電圧Ｖｄのレベルが増減されなくなる。その結果、直流電圧Ｖｄが初期レベルに安定した状態になる。
【００９５】
つまり、本実施形態の構成では、時刻ｔ１から上記時間Ｔｄ０よりも短い時間Ｔｄ１が経過した時点（時刻ｔ４）において、初期レベルの直流電圧と、初期レベルの交流電圧と、を重畳した現像バイアス電圧Ｖｂが現像ローラー７２に印加された状態になる。
【００９６】
このように、上記実施形態の構成によれば、交流電圧の印加を開始させた時刻ｔ１から所定時間Ｔ経過後の時刻ｔ２で直流電圧の印加を開始させる。このため、交流電圧の印加の開始当初から時刻ｔ２までの期間、現像ローラー７２へ入力される電流の電流値が増大したとしても、当該期間中は、直流電圧のレベルを減少させる補正を行わないようにすることができる。
【００９７】
これにより、上記期間中にＲＡＭに記憶されている直流電圧のレベルが一旦減少されることがなくなるので、直流電圧と交流電圧とが共に初期レベルに安定するまでに要する時間が、直流電圧と交流電圧とを個別に一つずつ印加した場合に、直流電圧が初期レベルに安定するまでに要する時間と交流電圧が初期レベルに安定するまでに要する時間との合計時間よりも長くなる虞を低減することができる。その結果、現像ローラー７２に印加される直流電圧と交流電圧とを重畳した現像バイアス電圧を早期に安定させることができる。
【００９８】
また、上記実施形態において、所定時間Ｔは、直流電圧を印加させずに予め測定された、時刻ｔ１から交流電圧が安定する時点までの経過時間に定められている。
【００９９】
このため、交流電圧の印加が開始された時刻ｔ１から当該所定時間Ｔが経過するまでの期間、つまり、交流電圧の印加が開始されてから当該交流電圧が安定するまでに要すると考えられる時点までの期間中は、現像ローラー７２へ入力される電流の電流値が増大しても、直流電圧のレベルを減少させる補正を行わないようにすることができる。これにより、直流電圧のレベルを減少させる補正が行われる期間を減少することができる。
【０１００】
その結果、直流電圧と交流電圧とが共に初期レベルに安定するまでに要する時間が、直流電圧と交流電圧とを個別に一つずつ印加した場合に、直流電圧が初期レベルに安定するまでに要する時間と交流電圧が初期レベルに安定するまでに要する時間との合計時間よりも長くなる虞を低減することができる。
【０１０１】
また、上記実施形態の構成とは異なり、交流電圧よりも先に直流電圧の印加を開始した場合、現像ローラー７２へ電圧の印加が開始された当初に、現像ローラー７２に担持されているトナーが飛散する虞がある。
【０１０２】
しかし、上記実施形態の構成によれば、直流電圧よりも先に交流電圧の印加が開始されるので、現像ローラー７２へ電圧の印加が開始された当初に、現像ローラー７２に担持されているトナーを現像ローラー７２と感光体ドラム３７との間で行き来させることができる。これにより、現像ローラー７２へ電圧の印加が開始された当初に現像ローラー７２に担持されているトナーが飛散する虞を低減することができる。
【０１０３】
尚、上記実施形態は、本発明に係る実施形態の例示に過ぎず、本発明を上記実施形態に限定する趣旨ではない。例えば、以下に示す変形実施形態であってもよい。
【０１０４】
（１）制御部１０を、上記実施形態で説明したように、制御プログラムを実行することによって各部の動作を制御する構成に代えて、当該制御と同じ制御が可能なＡＳＩＣ等の制御回路で構成してもよい。
【０１０５】
（２）上記所定時間Ｔは、試験運転等の実験において、例えば現像ローラー７２へ直流電圧を印加させずに予め測定した、交流電圧の印加が開始された時点（第一時点）から電流検出部９５により検出された電流が安定する時点、つまり、変化量検出部１３により検出される変化量が略０になるまでの経過時間に定めてもよい。
【０１０６】
本変形実施形態の構成によれば、交流電圧の印加が開始された時点から当該所定時間Ｔが経過するまでの期間、つまり、交流電圧の印加が開始されてから、電流検出部９５により検出された電流が安定すると考えられる時点までの期間中は、現像ローラー７２へ入力される電流の電流値が増大しても、直流電圧のレベルを減少させる補正を行わないようにすることができる。これにより、直流電圧のレベルを減少させる補正が行われる期間を無くすことができる。
【０１０７】
その結果、直流電圧と交流電圧とが共に初期レベルに安定するまでに要する時間が、直流電圧と交流電圧とを個別に一つずつ印加した場合に、直流電圧が初期レベルに安定するまでに要する時間と交流電圧が初期レベルに安定するまでに要する時間との合計時間よりも長くなる虞をより低減することができる。
【０１０８】
（３）変化量記憶部１５には、変化量と対応付けて、正の値を示す変化量が大きい程、つまり、電流検出部９５により検出された電流値が増大する程、直流電圧及び交流電圧のレベルを共に減少させることを示す補正データが記憶されていてもよい。これに合わせて、電圧補正部１４が、ステップＳ９（図６）において、当該変化量記憶部１５に記憶されている補正データを用いて、電流検出部９５により検出された電流値が増大する程、現像ローラー７２に印加する直流電圧及び交流電圧のレベルを減少させるようにしてもよい。
【０１０９】
または、変化量記憶部１５には、変化量と対応付けて、正の値を示す変化量が大きい程、つまり、電流検出部９５により検出された電流値が増大する程、交流電圧のレベルのみを減少させることを示す補正データが記憶されていてもよい。これに合わせて、電圧補正部１４が、ステップＳ９（図６）において、当該変化量記憶部１５に記憶されている補正データを用いて、電流検出部９５により検出された電流値が増大する程、現像ローラー７２に印加する交流電圧のレベルを減少させるようにしてもよい。
【０１１０】
つまり、変化量記憶部１５には、変化量と対応付けて、正の値を示す変化量が大きい程、即ち、電流検出部９５により検出された電流値が増大する程、直流電圧及び交流電圧のうちの少なくとも一方の電圧のレベルを減少させることを示す補正データを記憶してもよい。これに合わせて、電圧補正部１４が、当該補正データを用いて、電流検出部９５により検出された電流値が増大する程、現像ローラー７２に印加する直流電圧及び交流電圧のうち少なくともいずれか一方の電圧のレベルを減少させるようにしてもよい。
【０１１１】
（４）上記実施形態及び上記の各変形実施形態では、現像ローラー７２へ交流電圧の印加を開始した時点（時刻ｔ１）から、所定時間Ｔ経過後に、直流電圧の印加を開始していたが、これとは反対に、現像ローラー７２へ先に直流電圧（第一電圧）の印加を開始し、当該直流電圧の印加の開始時点から、所定時間経過後に、交流電圧（第二電圧）の印加を開始するようにしてもよい。
【０１１２】
これに合わせて、本変形実施形態における所定時間は、試験運転等の実験において、例えば現像ローラー７２へ交流電圧を印加させずに予め測定した、直流電圧の印加が開始された時点（第一時点）から直流電圧が安定する時点までの経過時間に定めてもよい。又は、当該所定時間は、例えば現像ローラー７２へ交流電圧を印加させずに予め測定した、直流電圧の印加が開始された時点（第一時点）から電流検出部９５により検出された電流が安定する時点、つまり、変化量検出部１３により検出される変化量が略０になるまでの経過時間に定めてもよい。
【符号の説明】
【０１１３】
１  プリンター（画像形成装置）
３  画像形成部
９  電源装置
１０  制御部
１２  現像制御部
１３  変化量検出部
１４  電圧補正部
１５  変化量記憶部
３７  感光体ドラム（像担持体）
７２  現像ローラー（現像剤担持体）
９３  直流電源部
９４  交流電源部
９５  電流検出部
Ｐ  用紙
Ｔ  所定時間
ｔ１  時刻（第一時点）
ｔ２  時刻（第二時点）
【図１】
0006319065.tif 000002
【図２】
0006319065.tif 000003
【図３】
0006319065.tif 000004
【図４】
0006319065.tif 000005
【図５】
0006319065.tif 000006
【図６】
0006319065.tif 000007
【図７】
0006319065.tif 000008